【手続補正書】
【提出日】平成18年4月10日(2006.4.10)
【手続補正１】
【補正対象書類名】明細書
【補正対象項目名】発明の名称
【補正方法】変更
【補正の内容】
【発明の名称】情報処理装置、サーバ装置、情報処理システム、情報処理方法、プログラム、記憶媒体
【手続補正２】
【補正対象書類名】明細書
【補正対象項目名】特許請求の範囲
【補正方法】変更
【補正の内容】
【特許請求の範囲】
【請求項１】  外部機器とネットワークを介して接続された情報処理装置であって、
電子データを入力する入力手段と、
前記入力手段により入力された電子データから特徴量を抽出する抽出手段と、
前記外部機器において前記特徴量と対応付けて登録される付加情報の項目を選択する選択手段と、
前記抽出手段により第１の電子データから抽出された第１の特徴量と、前記選択手段により選択された項目にかかる付加情報とを含む登録情報を、前記外部機器に送信する登録情報送信手段と、
を備えることを特徴とする情報処理装置。
【請求項２】  ユーザによる前記付加情報の入力を受け付ける受付手段を更に備えることを特徴とする請求項１に記載の情報処理装置。
【請求項３】  前記受付手段は、ユーザにより入力された文字列を受け付けることを特徴とする請求項２に記載の情報処理装置。
【請求項４】  前記選択手段は、少なくとも前記電子データの作成日時、前記電子データの作成者、前記電子データの内容、前記電子データの登録者、のいずれかを含む複数の項目の中から、１つ以上の項目を選択することを特徴とする請求項１から３のいずれか１項に記載の情報処理装置。
【請求項５】  前記外部機器により発行された識別ＩＤを受信する識別ＩＤ受信手段を更に備え、
前記登録情報送信手段は、前記第１の特徴量及び前記選択された項目にかかる付加情報に加えて、前記識別ＩＤ受信手段が受信した識別ＩＤを、前記外部機器に送信することを特徴とする請求項１から４のいずれか１項に記載の情報処理装置。
【請求項６】  前記外部機器に予め登録された前記第１の特徴量と比較するために、前記抽出手段により第２の電子データから抽出された第２の特徴量と、前記識別ＩＤ受信手段が受信した前記識別ＩＤとを含む鑑定情報を、前記外部機器に送信する鑑定情報送信手段を更に備えることを特徴とする請求項１から５のいずれか１項に記載の情報処理装置。
【請求項７】  前記鑑定情報送信手段が送信した前記第２の特徴量と、前記第１の特徴量とを照合した結果を、前記外部機器から受信する照合結果受信手段と、
前記照合結果受信手段が受信した照合結果に含まれる情報であって、前記第１の特徴量に対応付けられて登録されていた付加情報を、該付加情報にかかる項目名とともに表示する表示手段を更に備えることを特徴とする請求項６に記載の情報処理装置。
【請求項８】  情報処理装置とネットワークを介して接続されたサーバ装置であって、
前記情報処理装置から、第１の電子データから抽出された第１の特徴量と、該第１の特徴量と対応付けて登録される付加情報とを含む登録情報を受信する登録情報受信手段と、
前記登録情報に含まれる前記第１の特徴量を登録するとともに、前記付加情報を、該付加情報にかかる項目を示す情報とともに、登録する登録手段と、
を備えることを特徴とするサーバ装置。
【請求項９】  前記登録情報は、少なくとも前記電子データの作成日時、前記電子データの作成者、前記電子データの内容、前記電子データの登録者、のいずれかの項目にかかる付加情報を含むことを特徴とする請求項８に記載のサーバ装置。
【請求項１０】  前記登録手段により登録された登録情報を特定するための識別ＩＤを発行する発行手段を更に備えることを特徴とする請求項８または９に記載のサーバ装置。
【請求項１１】  前記情報処理装置から、第２の電子データから抽出された第２の特徴量と、前記発行手段により発行された識別ＩＤとを含む鑑定情報を、受信する鑑定情報受信手段と、
前記鑑定情報に含まれる前記第２の特徴量と、前記鑑定情報に含まれる識別ＩＤにより特定される登録情報に含まれる前記第１の特徴量とを照合する照合手段と、
を更に備えることを特徴とする請求項１０に記載のサーバ装置。
【請求項１２】  前記照合手段による照合の結果、前記第１の特徴量と前記第２の特徴量とが一致した場合に、前記第１の特徴量とともに登録されていた前記付加情報を、該付加情報にかかる項目を示す情報とともに、前記情報処理装置に通知する通知手段を更に備えることを特徴とする請求項１１に記載のサーバ装置。
【請求項１３】  画像データを入力する入力手段と、
前記入力手段により入力された画像データから特徴量を抽出する抽出手段と、
前記特徴量と対応付けて登録される付加情報の項目を選択する選択手段と、
前記抽出手段により第１の電子データから抽出された第１の特徴量と、前記選択手段により選択された項目にかかる付加情報とを対応付けて登録する登録手段と、
を備えることを特徴とする情報処理システム。
【請求項１４】  前記付加情報として、ユーザによる文字列の入力を受け付ける受付手段を更に備えることを特徴とする請求項１３に記載の情報処理装置。
【請求項１５】  前記選択手段は、少なくとも前記電子データの作成日時、前記電子データの作成者、前記電子データの内容、前記電子データの登録者、のいずれかを含む複数の項目の中から、１つ以上の項目を選択することを特徴とする請求項１から３のいずれか１項に記載の情報処理装置。
【請求項１６】  前記抽出手段により第２の電子データから抽出された第２の特徴量と、前記登録手段により予め登録された前記第１の特徴量とを、照合する照合手段と、
前記照合手段による照合の結果、前記第１の特徴量と前記第２の特徴量とが一致した場合に、前記第１の特徴量とともに登録されていた前記付加情報を、該付加情報にかかる項目を示す情報とともに、表示する表示手段と、
を更に備えることを特徴とする請求項１３から１５のいずれか１項に記載の情報処理システム。
【請求項１７】  前記情報処理システムは、ネットワークを介して互いに接続された情報処理装置と、サーバ装置を備え、
前記情報処理装置は、
前記入力手段、前記抽出手段、前記選択手段を備え、
前記サーバ装置は、
前記登録手段を備えることを特徴とする請求項１３から１６のいずれか１項に記載の情報処理ステム。
【請求項１８】  外部機器とネットワークを介して接続された情報処理装置における情報処理方法であって、
電子データを入力する入力ステップと、
前記入力ステップで入力された電子データから特徴量を抽出する抽出ステップと、
前記外部機器において前記特徴量と対応付けて登録される付加情報の項目を選択する選択ステップと、
前記抽出ステップで第１の電子データから抽出された第１の特徴量と、前記選択ステップで選択された項目にかかる付加情報とを含む登録情報を、前記外部機器に送信する登録情報送信ステップと、
を備えることを特徴とする情報処理装置における情報処理方法。
【請求項１９】  情報処理装置と、ネットワークを介して接続されたサーバ装置の制御方法であって、
前記情報処理装置から、第１の電子データから抽出された第１の特徴量と、該特徴量と対応付けて登録される付加情報とを含む登録情報を受信する登録情報受信ステップと、
前記登録情報に含まれる前記第１の特徴量を登録するとともに、前記付加情報を、該付加情報にかかる項目を示す情報とともに、登録する登録ステップと、
を備えることを特徴とするサーバ装置の制御方法。
【請求項２０】  画像データを入力する入力ステップと、
前記入力ステップで入力された画像データから特徴量を抽出する抽出ステップと、
前記特徴量と対応付けて登録される付加情報の項目を選択する選択ステップと、
前記抽出ステップで第１の電子データから抽出された第１の特徴量と、前記選択ステップで選択された項目にかかる付加情報とを対応付けて登録する登録ステップと、
を備えることを特徴とする情報処理システムにおける情報処理方法。
【請求項２１】  請求項１８〜２０のいずれか１項に記載の情報処理方法または制御方法をコンピュータに実行させるためのプログラム。
【請求項２２】  請求項２１に記載のプログラムを記憶したことを特徴とする記憶媒体。
【手続補正３】
【補正対象書類名】明細書
【補正対象項目名】０００９
【補正方法】変更
【補正の内容】
【０００９】
本発明は、上記の課題を解決するためになされたもので、本発明の目的は、電子データの原本を送信することなく、電子データから抽出される特徴量と対応づけた付加情報とを含む登録情報を外部機器に送信することで、電子データの検証に利用するための登録情報を記憶する外部機器の記憶容量を軽減できる仕組みを提供することである。
【手続補正４】
【補正対象書類名】明細書
【補正対象項目名】００１０
【補正方法】変更
【補正の内容】
【００１０】
【課題を解決するための手段】
【手続補正５】
【補正対象書類名】明細書
【補正対象項目名】００１１
【補正方法】変更
【補正の内容】
【００１１】
本発明に係る情報処理装置は、下記の特徴的構成を備える。
外部機器とネットワークを介して接続された情報処理装置であって、電子データを入力する入力手段と、前記入力手段により入力された電子データから特徴量を抽出する抽出手段と、前記外部機器において前記特徴量と対応付けて登録される付加情報の項目を選択する選択手段と、前記抽出手段により第１の電子データから抽出された第１の特徴量と、前記選択手段により選択された項目にかかる付加情報とを含む登録情報を、前記外部機器に送信する登録情報送信手段とを備えることを特徴とする。
【手続補正６】
【補正対象書類名】明細書
【補正対象項目名】００１２
【補正方法】変更
【補正の内容】
【００１２】
本発明に係るサーバ装置は、下記の特徴的構成を備える。
情報処理装置とネットワークを介して接続されたサーバ装置であって、前記情報処理装置から、第１の電子データから抽出された第１の特徴量と、該第１の特徴量と対応付けて登録される付加情報とを含む登録情報を受信する登録情報受信手段と、前記登録情報に含まれる前記第１の特徴量を登録するとともに、前記付加情報を、該付加情報にかかる項目を示す情報とともに、登録する登録手段とを備えることを特徴とする。
【手続補正７】
【補正対象書類名】明細書
【補正対象項目名】００１３
【補正方法】変更
【補正の内容】
【００１３】
本発明に係る画像処理システムは、下記の特徴的構成を備える。
画像データを入力する入力手段と、前記入力手段により入力された画像データから特徴量を抽出する抽出手段と、前記特徴量と対応付けて登録される付加情報の項目を選択する選択手段と、前記抽出手段により第１の電子データから抽出された第１の特徴量と、前記選択手段により選択された項目にかかる付加情報とを対応付けて登録する登録手段とを備えることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】０１３９
【補正方法】変更
【補正の内容】
【０１３９】
【発明の効果】
以上説明したように、本発明によれば、電子データから抽出した特徴量を抽出する際に電子データの原本を送信することなく、特徴量と付加情報を含む登録情報を外部機器に記憶させるので、登録情報を記憶する外部機器の記憶容量を軽減できる。